(57)【要約】 【課題】  安価な構成により良好な収量が得られる直播装置を提供する。【解決手段】  走行機体１００の後部側に着脱可能に装着して直播きを行う直播装置１であって、走行機体１００への装着部１２を有するベース部材１０と、ホッパ３１に貯留された稲種子を繰出ロール３２の回転により繰り出して土壌表面に供給する繰出装置３０とを備え、繰出装置３０は、ベース部材１０に回転自在に支持された回転輪３４と、回転輪３４の回転により繰出ロール３２を回転させる伝動部材３５とを備えており、回転輪３４は、複数の掻き板３４ｄが外周に沿って配置され、走行機体１００の走行時に掻き板３４ｄが土壌に食い込んで回転するように構成されている。【選択図】  図１
2013111068.tif 000002
【特許請求の範囲】
【請求項１】
走行機体の後部側に着脱可能に装着して直播きを行う直播装置であって、
前記走行機体への装着部を有するベース部材と、ホッパに貯留された稲種子を繰出ロールの回転により繰り出して土壌表面に供給する繰出装置とを備え、
前記繰出装置は、前記ベース部材に回転自在に支持された回転輪と、前記回転輪の回転により前記繰出ロールを回転させる伝動部材とを備えており、
前記回転輪は、複数の掻き板が外周に沿って配置され、前記走行機体の走行時に前記掻き板が土壌に食い込んで回転するように構成された直播装置。
【請求項２】
前記走行機体の走行により土壌表面に播種溝を形成する作溝器を備え、
前記繰出装置は、稲種子を前記播種溝に供給する請求項１に記載の直播装置。
【請求項３】
土壌表面に沿って摺動することにより、供給された稲種子を下方に押圧する押圧体を備える請求項１または２に記載の直播装置。
【請求項４】
平均繊維長が０．２〜１ｍｍの綿繊維を、粘土に対して、前記綿繊維と前記粘土との重量比が１：９〜３：７となるように混合したコーティング材により、稲種子がコーティングされたコーティング稲種子。
【発明の詳細な説明】
【技術分野】
【０００１】
本発明は、直播装置およびコーティング稲種子に関し、より詳しくは、湛水直播に用いられる直播装置、および、この直播装置による直播に好適なコーティング稲種子に関する。
【背景技術】
【０００２】
従来、米生産に於ける生産費や労働時間の削減のため、様々な直播栽培が行われており、そのための直播装置が開発されている。例えば、特許文献１には、田植機の走行機体を利用して湛水直播を行う水田用作業機が開示されている。この水田用作業機は、耕耘装置と直播装置とを備えており、走行機体の移動により、耕耘装置による耕耘と直播装置による種籾の落下供給とが順次行われ、落下した種籾が泥土にもぐり込むように構成されている。直播装置は、ホッパに貯留された種籾を順次繰り出して落下させる繰出機構を備えており、走行機体の動力が繰出機構に伝達される。
【０００３】
また、このような湛水直播に適したコーティング稲種子も従来から検討されている。従来のコーティング稲種子としては、土中での出芽を安定させるための酸素供給剤（カルパー）を用いたものが知られており、代かき土壌に形成された溝に自然落下させて覆土する方法で土中播種される。最近では、鉄粉をコーティングした稲種子を表面播種することも行われており、例えば特許文献２には、鉄粉の酸化反応を促進することにより、稲種子の表面に鉄粉を付着・固化させる鉄粉被覆稲種子の製造方法が開示されている。
【先行技術文献】
【特許文献】
【０００４】
【特許文献１】特開平８−３７８０８号公報
【特許文献２】特開２００５−１９２４５８号公報
【発明の概要】
【発明が解決しようとする課題】
【０００５】
上記特許文献１など従来の直播装置は、繰出機構を駆動するために、走行機体からベルト等の伝動機構を介して動力を伝達する必要があるため、装置構成が煩雑なものとなっていた。更に、走行機の車速変化によって播種間隔（株間）のばらつきが生じ易く、収量が低下するおそれがあった。
【０００６】
また、従来のコーティング稲種子についても、十分な収量を得ることが困難であり、米の生産コストが高くなり易いという問題があった。すなわち、酸素供給剤によるコーティング稲種子は、比重が小さく水に浮きやすいため、覆土が薄すぎると流されるおそれがある一方、厚すぎると発芽不良が生じ易いという問題があった。また、鉄コーティング稲種子は、鉄粉の酸化反応による発熱によって稲種子がダメージを受け易く、発芽率が低下するおそれがあり、更に、鉄粉の酸化を促すために硫酸塩や塩化物を混合することで、コスト高になるおそれがあった。
【０００７】
そこで、本発明は、安価な構成により良好な収量が得られる直播装置およびコーティング稲種子の提供を目的とする。
【課題を解決するための手段】
【０００８】
本発明の前記目的は、走行機体の後部側に着脱可能に装着して直播きを行う直播装置であって、前記走行機体への装着部を有するベース部材と、ホッパに貯留された稲種子を繰出ロールの回転により繰り出して土壌表面に供給する繰出装置とを備え、前記繰出装置は、前記ベース部材に回転自在に支持された回転輪と、前記回転輪の回転により前記繰出ロールを回転させる伝動部材とを備えており、前記回転輪は、複数の掻き板が外周に沿って配置され、前記走行機体の走行時に前記掻き板が土壌に食い込んで回転するように構成された直播装置により達成される。
【０００９】
この直播装置は、前記走行機体の走行により土壌表面に播種溝を形成する作溝器を備えることが可能であり、前記繰出装置は、稲種子を前記播種溝に供給するように構成することができる。また、土壌表面に沿って摺動することにより、供給された稲種子を下方に押圧する押圧体を更に備えることが好ましい。
【００１０】
また、本発明の前記目的は、平均繊維長が０．２〜１ｍｍの綿繊維を、粘土に対して、前記綿繊維と前記粘土との重量比が１：９〜３：７となるように混合したコーティング材により、稲種子がコーティングされたコーティング稲種子により達成される。
【発明の効果】
【００１１】
本発明によれば、安価な構成により良好な収量が得られる直播装置およびコーティング稲種子を提供することができる。
【図面の簡単な説明】
【００１２】
【図１】本発明の一実施形態に係る直播装置の側面図である。
【図２】図１に示す直播装置の要部背面図である。
【図３】図１に示す直播装置の要部平面図である。
【図４】図１に示す直播装置の要部側面図である。
【図５】図１に示す直播装置の他の要部平面図である。
【図６】図１に示す直播装置の更に他の要部平面図である。
【図７】図１に示す直播装置の作動を説明するための要部断面図である。
【発明を実施するための形態】
【００１３】
以下、本発明の実施の形態について、添付図面を参照して説明する。図１は、本発明の一実施形態に係る直播装置の側面図である。図１に示すように、本実施形態の直播装置１は、ロータリ耕耘機１１０を後部に有するトラクタ１００に対して、ロータリ耕耘機１１０の進行方向後部側に着脱可能に装着される。ロータリ耕耘機１１０は、カバーケース１１２に回転可能に支持された耕耘爪１１４をリンク機構１１６によって昇降させることが可能な公知の構成である。ロータリ耕耘機１１０の後部は、後方に向けて支持フレーム１１８が延びており、支持フレーム１１８の後端には、トラクタ１００の進行方向に対して直交且つ水平方向に延びる取付バー１２０が固定されている。
【００１４】
直播装置１は、トラクタ１００への装着部１１を有するベース部材１０と、ベース部材１０に取り付けられた作溝器２０および繰出装置３０とを備えている。装着部１１は、ベース部材１０の中央から上方に延びる支持体１２に固定された一対の挟持部材１１ａ，１１ａと、ベース部材１０の左右両側から進行方向にそれぞれ延びる取付アーム１１ｂ（図１では一方のみを示す）とを備えており、一対の挟持部材１１ａ，１１ａにより取付バー１２０を挟持してボルト等の連結手段（図示せず）で固定すると共に、左右の取付アーム１１ｂをカバーケース１１２の長孔１１２ａに同じく連結手段（図示せず）で固定することにより、直播装置１がトラクタ１００のロータリ耕耘機１１０に固定される。
【００１５】
支持体１２は、一対の挟持部材１１ａ，１１ａが外周面に固定された外筒１２ａと、外筒１１の内部に摺動可能に収容された内筒１２ｂとを備えており、外筒１２ａの上端に回転レバー１２ｃが回転可能に取り付けられている。回転レバー１２ｃは、内筒１２ｂの内周面に螺合するボルト１２ｄが連結されており、回転レバー１２ｃの回転によりボルト１２ｄが回転して内筒１２ｂが上下動し、内筒１２ｂの下部に支持されたベース部材１０が昇降する。ベース部材１０は、左右の取付アーム１１ｂを取り外すことにより外筒１２ａに対して回動自在となり、例えば公道走行時等においては、ベース部材１０を回動により傾斜させて横幅を小さくすることができる。
【００１６】
作溝器２０は、ベース部材１０の下方にブラケット２１，２１を介して傾斜状態で取り付けられた支持板２２と、支持板２２の後方下部に設けられた溝切部材２３とを備えており、ロータリ耕耘機１１０による耕耘砕土後の泥土Ｍに溝切部材２３が潜ることにより、土壌表面に播種溝Ｇが形成される。溝切部材２３は、図２に要部背面図で示すように逆台形状とされており、上方に拡がるテーパ状の播種溝を形成する。
【００１７】
繰出装置３０は、稲種子を貯留するホッパ３１と、ホッパの下方に配置されて稲種子を繰り出す繰出ロール３２と、繰り出された稲種子を供給する漏斗状の供給部３３と、ベース部材２０に回転自在に支持された回転輪３４と、回転輪３４の回転により繰出ロール３２を回転させる伝動部材３５とを備えている。ホッパ３１は、図２に示すように左右方向に複数設けられており、本実施形態では条数を７条としている。図３に平面図で示すように、ホッパ３１の底部３１ａには、スリット状の排出孔３１ｂと、排出孔３１ｂの進行方向両側に配置されたブラシ３１ｃ，３１ｃとが設けられている。ブラシ３１ｃ，３１ｃは、底部３１ａの表裏面において、排出孔３１ｂと繰出ロール３２との隙間を覆うように配置されており、清掃を容易にするため回動自在とされている。
【００１８】
繰出ロール３２は、図２に示すように、左右方向（進行方向に対して直交する方向）に水平に延びる回転軸３２ａに、複数の搬送リング３２ｂが挿通されて構成されている。図２および図３に示すように、各搬送リング３２ｂは、ホッパ３１の排出孔３１ｂの直下に位置するように回転軸３２ａ上の位置が固定されている。搬送リング３２ｂの外周面には、数粒の稲種子を収容可能な凹部３２ｃが等間隔に複数形成されており、凹部３２ｃに保持された稲種子が供給部３３に案内されて、供給部３３の下端から落下する。
【００１９】
回転輪３４は、図４に単体で示すように、ハブ３４ａからリム３４ｂに向けてスポーク３４ｃが放射状に延びるように構成されており、リム３４ｂには平板状の掻き板３４ｄが、周方向に沿って等間隔に複数設けられている。リム３４ｂは、剛性を高めるため、外リム３４ｅおよび内リム３４ｆの二重リムによって構成されている。また、掻き板３４ｄは、図１に示すように、少なくとも外側部分が泥土Ｍに潜り込むようにリム３４ｂに固定されており、移動時に土圧によって回転輪３４がスムーズに回転するように、径方向Ｒに対して若干傾斜する向きに配置されている。回転輪３４は、図５に要部平面図で示すように、回転軸３４ｇがベース部材１０に回転自在に支持されている。
【００２０】
伝動部材３５は、図５に示すように、回転輪３４の回転軸３４ｇに取り付けられた多段ギヤ３５ａと、繰出ロール３２の回転軸３２ａに取り付けられたギヤ３５ｂとの間に、無端状のチェーン３５ｃが巻回されて構成されており、回転輪３４の回転により繰出ロール３２が回転するように構成されている。伝動部材３５における変速比は、回転輪３４の回転軸３４ｇを進退させて、チェーン３５ｃを巻回するギヤを適宜選択することにより多段に調整可能であり、所望の播種間隔に応じて適宜設定することができる。
【００２１】
また、本実施形態の直播装置１は、稲種子を供給した後の播種溝Ｇの底部表面に沿って摺動する押圧体４０を更に備えている。図６に要部平面図で示すように、押圧体４０は、基部４１および取付部４３の左右両側が一対の多関節アーム４２，４２によって連結されており、基部４１が上下方向に回動可能となるように、ヒンジ４４を介して作溝器の支持板２２に取り付けられている。一対の多関節アーム４２，４２は、複数個所において上下方向に回動自在となるように、複数の回動支点４２ａ，４２ａを備えており、両者の間に形成される空間部Ｓを介して、破線で示す供給部３３から土壌表面に稲種子を供給できるように配置されている。
【００２２】
取付部４３には、進行方向後方に延びる押さえ部材４４が設けられている。押さえ部材４４は、後方に向けて拡がる略台形状に形成されており、供給された稲種子を土壌表面に沿って摺動しながら確実に押圧できるように、ゴムや布などの可撓性部材であることが好ましい。押さえ部材４４の自重による稲種子の押圧を確実にするため、押さえ部材４４の表面には鉄板等の錘部材４５を設けてもよい。
【００２３】
次に、上記の構成を備える直播装置１の作動を説明する。まず、水田を湛水した後、図１に示すように、直播装置１を装着したトラクタ１００を走行させると、ロータリ耕耘機１１０による代かきと、作溝器２０による播種溝Ｇの形成とが、順次行われる。繰出装置３０の回転輪３４は、下部が泥土に埋没した状態になり、トラクタ１００の走行により回転輪３４の掻き板３４ｄが土圧を受けて、回転輪３４が矢示方向に回転する。回転輪３４の回転は、伝動部材３５により繰出ロール３２に伝達され、繰出ロール３２の矢示方向の回転により、ホッパ３１内の稲種子が播種溝Ｇに供給される。この後、供給された稲種子の上方を押圧体４０が通過して、稲種子が下方に押圧される。
【００２４】
供給部３３から供給された稲種子５０は、図７（ａ）に示すように、播種溝Ｇの底部Ｂの表面に位置しており、押圧体４０の押さえ部材４４による押圧によって、図７（ｂ）に示すように、稲種子５０の略全体が泥土Ｍ内に埋没する。稲種子５０の埋没深さは、図示のように、稲種子５０の上端が播種溝Ｇの底部Ｂの表面と面一になる程度が好ましく、押圧体４０の設置高さや押さえ部材４４の自重等により適宜調整することができる。なお、播種溝Ｇの溝深さｄは、３０ｍｍ程度であることが好ましい。
【００２５】
以上のように、本実施形態の直播装置１は、装着したトラクタ１００の走行により土圧を受けて回転する回転輪３４を備えており、回転輪３４の回転により繰出ロール３２を回転させて直播を行うことができる。したがって、従来のように稲種子を供給するための動力を走行機体などから伝達する必要がなく、種々の走行機体に対する着脱を容易に行うことができるので、汎用性に優れる安価な構成にすることができる。直播装置１を装着可能な走行機体は特に限定されないが、例えば、田植機やテーラーなどを挙げることができる。本実施形態では、ロータリ耕耘機１１０の後方に直播装置１を装着して、代かきと直播とを同時に行っているが、代かきを専用機で行った後、直播装置１を別の走行機体に装着して直播を行うことも可能である。
【００２６】
また、上記のように回転輪３４の回転により繰出ロール３２を回転させることで、直播装置１を装着した走行機体の速度に拘わらず、播種間隔を一定に維持することができる。したがって、良好な収量および品質を確保することができる。
【００２７】
更に、本実施形態の直播装置１は、土壌表面に沿って摺動することにより、供給された稲種子を下方に押圧する押圧体４０を備えているので、稲種子が土壌表面で浮いた状態になるのを防止することができ、稲種子に対する土中からの水分補給を確実にして、発芽を良好に促すことができる。また、このように稲種子を押圧して表面すれすれに埋没させることで、鳥害対策になると共に、水田への入水時に稲種子が流されにくくすることができる。
【００２８】
本実施形態の直播装置１は、作溝器２０で形成した播種溝Ｇに稲種子を供給することで、良好な苗立ちと倒伏防止を図っているが、作溝器２０は必須のものではなく、播種溝Ｇを形成せずに土壌表面に稲種子を直播するように構成することも可能である。
【００２９】
本実施形態の直播装置１に使用する稲種子は、土壌表面に播種する表面播種に適したものであればよく、例えば、従来の鉄コーティング稲種子であってもよいが、より安価に収量を向上させる観点から、下記のコーティング稲種子を使用することができる。すなわち、平均繊維長が０．２〜１ｍｍの綿繊維を、粘土に対して、前記綿繊維と前記粘土との重量比が１：９〜３：７となるように混合したコーティング材により、稲種子がコーティングされたコーティング稲種子が好適である。綿繊維は、天然繊維である木綿の綿繊維が好適である。
【００３０】
粘土は、粘性および可塑性を示し、粒径が0.002mm以下で定義される微粒の天燃物である。粘土の粘性を高めるために、石膏スラリー等を適宜混合してもよく、更に、カルパー剤（酸素供給剤）や忌避剤等を混入してもよい。粘土または上記の混合物は、水に浸した鳩胸状態の稲種子（種籾）と共にコーティングマシンのドラムに投入し、適量の水および綿繊維を添加しながらドラムを回転させて造粒コーティングした後、乾燥させることにより、コーティング稲種子が得られる。
【００３１】
混合する綿繊維は、綿くずをマスコロイダー等の粉砕機により細かく切断する等して得られる繊維長さが短いものが好ましく、具体的には、平均繊維長が０．２〜１ｍｍのものを使用することができる。平均繊維長は、コーティング稲種子の切断面を顕微鏡観察し、５０μｍ以下の破砕繊維は除外して無作為に２０本以上測定した平均値である。平均繊維長が１ｍｍより大きいと、稲種子の表面にコーティング材がうまく馴染みにくい一方、平均繊維長が０．２ｍｍより小さいと、粘土を稲種子に絡ませる効果が薄れてしまうため、いずれもコーティングが崩壊しやすいという問題がある。
【００３２】
また、綿繊維と粘土との重量比は、１：９〜３：７の範囲にあることが好ましい。綿繊維は、多く配合することで粘土を稲種子に絡ませやすくすることができるが、多すぎると発芽障害が生じやすくなる。本発明のコーティング材は、上記のように綿繊維の繊維長が短いため、綿繊維の混合割合を比較的多くしても発芽障害が生じ難く、これによってコーティングを強固にすることができる。
【００３３】
本発明のコーティング稲種子は、比重が大きいために、表面播種を行っても水中での浮き苗を効果的に防止することができる。また、従来の鉄コーティング種子と比較して、鉄粉の酸化反応による発熱の問題が生じないことから、苗立ち率を向上させることができると共に、コスト面でも安価に製造することができる。更に、綿繊維の混合割合が高いことから、土壌表面に露出した場合でも鳥害を抑制することができる。
【００３４】
一例として、１反（約１０アール）あたりの播種量における各成分の配合量を、下記に示す。
種籾  ：  ２．０ｋｇ
粘土  ：  ２．４ｋｇ
石膏  ：  １．２ｋｇ
綿繊維  ：  ０．５ｋｇ
カルパー：  １．２ｋｇ
唐辛子（忌避剤）： 
０．３ｋｇ
スクミノン（忌避剤）：  ０．３ｋｇ
合計  ：  ７．９ｋｇ
【００３５】
本発明のコーティング稲種子の特長をまとめると、下記のとおりである。
（１）粘土質の土と、綿繊維のつなぎ効果で、輸送や、機械の衝撃などで亀裂を生じたり、壊れたりしない強度があること
（２）発熱しないのでコーティング後の後処理が鉄コーティングに比べて楽であること
（３）綿繊維は吸水性があり、発芽しやすいので稲籾の使用量が少なくてすむこと
（４）土コーティングなので忌避剤が混入可能であること
（５）酸素供給剤が混入可能なので、土で覆われやすい溝播きが可能で、成育後倒伏しにくいこと
（６）外気で乾燥後、長期保存も可能であること
【符号の説明】
【００３６】
１  直播装置
１０  ベース部材
１１  装着部
２０  作溝器
３０  繰出装置
３１  ホッパ
３２  繰出ロール
３３  供給部
３４  回転輪
３４ｄ  掻き板
３５  伝動部材
４０  押圧体
１００  トラクタ（走行機体）
Ｇ  播種溝
【図１】
2013111068.tif 000003
【図２】
2013111068.tif 000004
【図３】
2013111068.tif 000005
【図４】
2013111068.tif 000006
【図５】
2013111068.tif 000007
【図６】
2013111068.tif 000008
【図７】
2013111068.tif 000009
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
走行機体の後部側に着脱可能に装着して直播きを行う直播装置であって、
前記走行機体への装着部を有するベース部材と、ホッパに貯留された稲種子を繰出ロールの回転により繰り出して土壌表面に供給する繰出装置とを備え、
前記繰出装置は、前記ベース部材に回転自在に支持された回転輪と、前記回転輪の回転により前記繰出ロールを回転させる伝動部材とを備えており、
前記回転輪は、複数の掻き板が外周に沿って配置され、前記走行機体の走行時に前記掻き板が土壌に食い込んで回転するように構成され、
前記走行機体の走行により土壌表面に播種溝を形成する作溝器と、土壌表面に沿って摺動することにより、供給された稲種子を下方に押圧する押圧体を更に備え、前記繰出装置は、稲種子を前記播種溝に供給し、
前記押圧体は、前記作溝器に取り付けられる基部と、可撓性部材からなり土壌表面に沿って摺動する押さえ部材が設けられた取付部と、前記基部および取付部の左右両側を連結し複数個所において上下方向に回動自在となる一対の多関節アームとを備え、
一対の前記多関節アームは、両者の間に形成される空間部を介して土壌表面に稲種子を供給できるように配置されている直播装置。
【請求項２】
前記ホッパには、平均繊維長が０．２〜１ｍｍの綿繊維を、粘土に対して、前記綿繊維と前記粘土との重量比が１：９〜３：７となるように混合したコーティング材により、稲種子がコーティングされたコーティング稲種子が貯留される請求項１に記載の直播装置。
【手続補正３】
【補正対象書類名】明細書
【補正対象項目名】０００１
【補正方法】変更
【補正の内容】
【０００１】
本発明は、直播装置に関し、より詳しくは、湛水直播に用いられる直播装置に関する。
【手続補正４】
【補正対象書類名】明細書
【補正対象項目名】０００７
【補正方法】変更
【補正の内容】
【０００７】
そこで、本発明は、安価な構成により良好な収量が得られる直播装置の提供を目的とする。
【手続補正５】
【補正対象書類名】明細書
【補正対象項目名】０００８
【補正方法】変更
【補正の内容】
【０００８】
本発明の前記目的は、走行機体の後部側に着脱可能に装着して直播きを行う直播装置であって、前記走行機体への装着部を有するベース部材と、ホッパに貯留された稲種子を繰出ロールの回転により繰り出して土壌表面に供給する繰出装置とを備え、前記繰出装置は、前記ベース部材に回転自在に支持された回転輪と、前記回転輪の回転により前記繰出ロールを回転させる伝動部材とを備えており、前記回転輪は、複数の掻き板が外周に沿って配置され、前記走行機体の走行時に前記掻き板が土壌に食い込んで回転するように構成され、前記走行機体の走行により土壌表面に播種溝を形成する作溝器と、土壌表面に沿って摺動することにより、供給された稲種子を下方に押圧する押圧体を更に備え、前記繰出装置は、稲種子を前記播種溝に供給し、前記押圧体は、前記作溝器に取り付けられる基部と、可撓性部材からなり土壌表面に沿って摺動する押さえ部材が設けられた取付部と、前記基部および取付部の左右両側を連結し複数個所において上下方向に回動自在となる一対の多関節アームとを備え、一対の前記多関節アームは、両者の間に形成される空間部を介して土壌表面に稲種子を供給できるように配置されている直播装置により達成される。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、安価な構成により良好な収量が得られる直播装置を提供することができる。